(57)【要約】【課題】本発明はＡＬＣパネルからなる壁体にブラケットを介して面格子をとりつける面格子の取付構造に関する。【解決手段】サッシ開口部の外側に構成されるＡＬＣパネル等からなる壁体が開口補強鋼材で支持されており、該開口補強鋼材にブラケットの一端を止具で固定するか、あるいは溶接などで固定し、該ブラケットの他端に形成している面格子取付部に面格子を止具を介してとりつけることを特徴とする面格子の取付構造。【選択図】図２
2020200743.tif 000002
【特許請求の範囲】
【請求項１】
サッシ開口部の外側に構成されるＡＬＣパネル等からなる壁体が開口補強鋼材で支持されており、該開口補強鋼材にブラケットの一端を止具で固定するか、あるいは溶接などで固定し、該ブラケットの他端に形成している面格子取付部に面格子を止具を介してとりつけることを特徴とする面格子の取付構造。
【請求項２】
ブラケットは開口補強鋼材に固定される短尺の第１ブラケットと、面格子の枠体に固定される長尺の第２ブラケットとを備えており、第２ブラケットは面格子の枠体に固定される取付主片と、取付主片の一端に取付主片の長手方向に沿って係合溝部と、隠し板とを形成し、該係合溝部は底部と、一対の側部と、側部の先端を内側に折曲した係合部と、該係合部間に開口を形成しており、上記係合溝部の長手方向所定の内面に止金具を当てがい、外面に第１ブラケットの一端を当てがって第１ブラケットと止金具を止着し、第１ブラケットと第２ブラケットを連結固定していることを特徴とする請求項１記載の面格子の取付構造。
【請求項３】
ブラケットに形成している面格子取付部の上部には面格子仮置き用の引っ掛け部を形成し、面格子の枠体の上部には上記ブラケットの引っ掛け部に仮置きされる引っ掛け部を内側に突出して形成していることを特徴とする請求項１または請求項２記載の面格子の取付構造。
【発明の詳細な説明】
【技術分野】
【０００１】本発明はサッシ開口部の室外側にとりつけられる面格子の取付構造に関する。
【背景技術】
【０００２】従来ＡＬＣパネル（軽量気泡コンクリートパネル）等からなる壁体に面格子をとりつけるにあたり、アンカーをＡＬＣパネルに打ち込んで、アンカーボルトを介してブラケットの一端をＡＬＣパネルに固定し、ブラケットの他端の面格子取付部に面格子を当てがって止具で固定している。
【発明の概要】
【発明が解決しようとする課題】
【０００３】上記従来の構造ではＡＬＣパネル壁のロッキング変形時にアンカーが緩んだり、シール部が切れて浸水するといった不具合が発生するおそれがある。
【課題を解決するための手段】
【０００４】本発明は次の特徴を備えている。
その１は、サッシ開口部の外側に構成されるＡＬＣパネル等からなる壁体が開口補強鋼材で支持されており、該開口補強鋼材にブラケットの一端を止具で固定するか、あるいは溶接などで固定し、該ブラケットの他端に形成している面格子取付部に面格子を止具を介してとりつけることを特徴とする面格子の取付構造である。【０００５】その２はその１の構成において、ブラケットは開口補強鋼材に固定される短尺の第１ブラケットと、面格子の枠体に固定される長尺の第２ブラケットを備えており、第２ブラケットは面格子の枠体に固定される取付主片と、取付主片の一端に取付主片の長手方向に沿って係合溝部と、隠し板とを形成し、該係合溝部は底部と、一対の側部と、側部の先端を内側に折曲した係合部と、該係合部間に開口を形成しており、上記係合溝部の長手方向所定の内面に止金具を当てがい、外面に第１ブラケットの一端を当てがって第１ブラケットと止金具を止着し、第１ブラケットと第２ブラケットを連結固定していることを特徴とする面格子の取付構造である。【０００６】その３は上記その１、その２の構成においてブラケットに形成している面格子取付部の上部には面格子仮置き用の引っ掛け部を形成し、面格子の枠体の上部には上記ブラケットの引っ掛け部に仮置きされる引っ掛け部を内側に突出して形成していることを特徴とする面格子の取付構造である。
【発明の効果】
【０００７】本発明は開口補強鋼材にブラケットの一端を止具で固定しているか、あるいは溶接などで固定しているので、従来のＡＬＣパネルにブラケットをアンカーボルトを介して固定することによるロッキング変形によるアンカーの緩みや、シール部が切れて浸水するという不具合が生じない。【０００８】第２ブラケットは取付主片の一端に取付主片の長手方向に沿って係合溝部を形成しているので、第１ブラケットに対して長手方向に移動でき、止金具で止着して両ブラケットを連結固定できる。【０００９】ブラケットの上部に、面格子の枠体の上部にそれぞれ引っ掛け部を形成しているので、ブラケットに面格子を装着するとき面格子をブラケットに引っ掛ける状態にして固定ビスの孔合わせを簡単にでき一人の作業員で面格子の取付が出来る。
【図面の簡単な説明】
【００１０】
【図１】本発明面格子の取付状態の一実施例を示す説明用要部平面図である。
【図２】本発明面格子の取付状態の他の実施例を示す説明用要部平面図である。
【発明を実施するための形態】
【００１１】図１において、１はＡＬＣパネルからなる壁体、２は壁体を支持している等辺山形鋼からなる開口補強鋼材である。
３は短尺のブラケットで、一端を止具４で開口補強鋼材２に固定している。ブラケットの開口補強鋼材への固定は溶接でもよい。
従来のＡＬＣパネルへの固定に比べて緩み、変形がなく強固に固定できる。
【００１２】３ａはブラケットの他端を内側に折曲形成している面格子取付部で止具（不図示）を介して面格子の枠体５をとりつけている。３ｂはブラケットの面格子取付部の上部に凹み状に形成している面格子仮置き用の引っ掛け部である。
５ａは面格子の枠体の上部に内側に突出して形成している引っ掛け部で、ブラケットの引っ掛け部に引っ掛けて仮置きされる。
【００１３】図２においてブラケットは開口補強鋼材２に固定される短尺の第１ブラケット６と面格子の枠体５に固定される長尺の第２ブラケット７とを備えており、第２ブラケット７は面格子の枠体に固定される取付主片７ａと、取付主片の一端に取付主片の長手方向に沿って係合溝部７ｂと、隠し板７ｃとを形成し、該係合溝部に底部７ｂ１、一対の側部７ｂ２と、側部の先端を内側に折曲した係合部７ｂ３と、該係合部間に開口７ｂ４を形成しており、上記係合溝部の長手方向所定の内面に止金具８を当てがい、外面に第１ブラケットの一端を当てがって、第１ブラケットと止金具８を止具９を介して止着し、第１ブラケットと第２ブラケットを連結固定している。
７ａ１は取付主片７の上部に形成している凹み状の引っ掛け部、５ａは面格子の枠体５の上部に内側に突出して形成している引っ掛け部である。
以上本発明の実施例について説明しているが、本発明の技術思想を逸脱しない範囲の設計変更は可能である。
【符号の説明】
【００１４】１        ＡＬＣパネル
２        開口補強鋼材
３        ブラケット
３ａ      面格子取付部
３ｂ      引っ掛け部
４        止具
５        面格子の枠体
５ａ      引っ掛け部
６        第１ブラケット
７        第２ブラケット
７ａ      取付主片
７ａ１    引っ掛け部
７ｂ      係合溝部
７ｃ      隠し板
７ｂ１    底部
７ｂ２    側部
７ｂ３    係合部
７ｂ４    開口
８        止金具
９        止具
【図１】
2020200743.tif 000003
【図２】
2020200743.tif 000004